(57)【要約】【課題】審査支払機関に提出する電子レセプトの検証を容易にし、診療報酬の請求事務をより効率化する。【解決手段】保険医療機関が審査支払機関に診療報酬を請求するための電子レセプトデータを、紙レセプトイメージデータに変換する電子レセプト変換システムであって、電子レセプトデータの各データ項目と紙レセプトイメージデータへの設定箇所とを対応付けた変換用データベースと、電子レセプトデータのデータ項目についてチェック事項が設定されたチェック用データベースと、電子レセプトデータを入力するデータ入力手段と、電子レセプトデータを変換用データベースを用いて紙レセプトイメージデータに変換する変換手段と、チェック用データベースを参照して電子レセプトデータのエラーを検出するエラーチェック手段と、変換した紙レセプトイメージデータを出力する出力手段とを有する。【選択図】図２
2010140457.tif 000002
【特許請求の範囲】
【請求項１】
保険医療機関が審査支払機関に診療報酬を請求するための電子レセプトデータを、紙レセプトイメージデータに変換する電子レセプト変換システムであって、
前記電子レセプトデータの各データ項目と、前記紙レセプトイメージデータへの設定箇所とを対応付けた変換用データベースと、
前記電子レセプトデータのデータ項目についてチェック事項が設定されたチェック用データベースと、
前記電子レセプトデータを入力するデータ入力手段と、
前記入力した電子レセプトデータを、変換用データベースを用いて前記紙レセプトイメージデータに変換する変換手段と、
前記チェック用データベースを参照し、前記電子レセプトデータのエラーを検出するエラーチェック手段と、
前記変換手段が変換した紙レセプトイメージデータを出力する出力手段と、を有し、
前記出力手段は、前記エラーチェック手段がエラーを検出した場合、前記紙レセプトイメージデータとともに、エラーメッセージを出力すること
を特徴とする電子レセプト変換システム。
【請求項２】
電子レセプト変換システムが行う、保険医療機関が審査支払機関に診療報酬を請求するための電子レセプトデータを紙レセプトイメージデータに変換する電子レセプト変換方法であって、
前記電子レセプト変換システムは、
前記電子レセプトデータの各データ項目と、前記紙レセプトイメージデータへの設定箇所とを対応付けた変換用データベースと、
前記電子レセプトデータのデータ項目についてチェック事項が設定されたチェック用データベースと、を有し、
前記電子レセプトデータを入力するデータ入力ステップと、
前記入力した電子レセプトデータを、変換用データベースを用いて前記紙レセプトイメージデータに変換する変換ステップと、
前記チェック用データベースを参照し、前記電子レセプトデータのエラーを検出するエラーチェックステップと、
前記変換ステップで変換した紙レセプトイメージデータを出力する出力ステップと、を行い、
前記出力ステップは、前記エラーチェックステップでエラーを検出した場合、前記紙レセプトイメージデータとともに、エラーメッセージを出力すること
を特徴とする電子レセプト変換方法。
【請求項３】
電子レセプト変換システムが実行する、保険医療機関が審査支払機関に診療報酬を請求するための電子レセプトデータを紙レセプトイメージデータに変換する電子レセプト変換プログラムであって、
前記電子レセプト変換システムは、
前記電子レセプトデータの各データ項目と、前記紙レセプトイメージデータへの設定箇所とを対応付けた変換用データベースと、
前記電子レセプトデータのデータ項目についてチェック事項が設定されたチェック用データベースと、を有し、
前記電子レセプト変換システムに、
前記電子レセプトデータを入力するデータ入力ステップと、
前記入力した電子レセプトデータを、変換用データベースを用いて前記紙レセプトイメージデータに変換する変換ステップと、
前記チェック用データベースを参照し、前記電子レセプトデータのエラーを検出するエラーチェックステップと、
前記変換ステップで変換した紙レセプトイメージデータを出力する出力ステップと、を実行させ、
前記出力ステップは、前記エラーチェックステップでエラーを検出した場合、前記紙レセプトイメージデータとともに、エラーメッセージを出力すること
を特徴とする電子レセプト変換プログラム。
【請求項４】
請求項１記載の電子レセプト変換システムであって、
変換用データベースには、前記電子レセプトデータの各データ項目と、明細書イメージデータへの設定箇所との対応付けが、さらに記憶され、
前記変換手段は、前記変換用データベースを用いて、前記入力した電子レセプトデータの診療行為レコード毎に、診療行為の内容および点数を変換した前記明細イメージデータを生成し、
前記出力手段は、前記紙レセプトイメージデータとともに、前記明細イメージデータを１つの画面に表示すること
を特徴とする電子レセプト変換システム。
【請求項５】
請求項１または請求項４記載の電子レセプト変換システムであって、
日単位での診療情報を記録した診療データベースを、さらに有し、
変換用データベースには、前記電子レセプトデータの各データ項目と、カルテイメージデータへの設定箇所との対応付けが、さらに記憶され、
前記変換手段は、前記変換用データベースおよび診療データベースを用いて、前記入力した電子レセプトデータを、日単位の診療行為の内容および点数に変換したカルテイメージデータを生成し、
前記出力手段は、前記カルテイメージデータを画面に表示すること
を特徴とする電子レセプト変換システム。
【発明の詳細な説明】
【技術分野】
【０００１】
本発明は、保険医療機関が審査支払機関に診療報酬を請求するための電子レセプトデータを紙レセプトイメージデータに変換する電子レセプト変換システム、電子レセプト変換方法および電子レセプト変換プログラムに関する。
【背景技術】
【０００２】
保険医療機関や保険薬局が、審査支払機関に診療報酬を請求する際に、紙に印刷された紙レセプト（診療報酬請求明細書）を審査支払機関に提出する方法と、電子媒体に格納した電子レセプトを審査支払機関に提出する方法とがある。また、近年、診療報酬の請求方法として、電子レセプトを電子媒体で提出する代わりにネットワークを介して電子レセプトを送信するオンライン請求も開始されている。なお、電子レセプト請求については、非特許文献１に記載されている。
【先行技術文献】
【非特許文献】
【０００３】
【非特許文献１】“レセプト電算処理システム（医科）”、社会保険診療報酬支払基金、［online］、［平成２０年１０月３１日検索］、インターネット＜URL: http://www.ssk.or.jp/rezept/ika/index.html＞
【発明の概要】
【発明が解決しようとする課題】
【０００４】
保険医療機関等において、診療報酬を紙レセプトで提出する場合、コンピュータに格納されている電子情報（レセプト）を紙に印刷し、仕分け、編綴するなど多くの人手と時間を要する。そこで、保険医療機関等では、診療報酬の請求事務をより効率化するために、紙レセプトから、電子レセプトへの移行が進められている。
【０００５】
しかしながら、電子レセプトのデータの大部分は英数字の羅列であるため、電子レセプトを見たユーザは、どのような内容のレセプトであるかを理解することは困難である。そのため、提出用の電子媒体を作成した後に、確認のために電子媒体に格納された電子レセプトをディスプレイで表示しても、正しい（意図した）電子レセプトが格納されているのか否かを判断することは容易ではない。
【０００６】
また、紙レセプトの場合は、項目名と内容がともに印字され、ユーザが理解しやすい形式で印字されているため、ユーザは紙レセプトを見て簡単なエラーを容易に発見することができるが、電子レセプトではユーザの目視によるエラーの検出は困難である。
【０００７】
本発明は上記事情に鑑みてなされたものであり、本発明の目的は、審査支払機関に提出する電子レセプトの検証を容易にし、診療報酬の請求事務をより効率化する電子レセプト変換システム、電子レセプト変換方法、および電子レセプト変換プログラム提供することにある。
【課題を解決するための手段】
【０００８】
上記課題を解決するために、本発明は、保険医療機関が審査支払機関に診療報酬を請求するための電子レセプトデータを、紙レセプトイメージデータに変換する電子レセプト変換システムであって、前記電子レセプトデータの各データ項目と、前記紙レセプトイメージデータへの設定箇所とを対応付けた変換用データベースと、前記電子レセプトデータのデータ項目についてチェック事項が設定されたチェック用データベースと、前記電子レセプトデータを入力するデータ入力手段と、前記入力した電子レセプトデータを、変換用データベースを用いて前記紙レセプトイメージデータに変換する変換手段と、前記チェック用データベースを参照し、前記電子レセプトデータのエラーを検出するエラーチェック手段と、前記変換手段が変換した紙レセプトイメージデータを出力する出力手段と、を有し、前記出力手段は、前記エラーチェック手段がエラーを検出した場合、前記紙レセプトイメージデータとともに、エラーメッセージを出力する。
【０００９】
また、本発明は、電子レセプト変換システムが行う、保険医療機関が審査支払機関に診療報酬を請求するための電子レセプトデータを紙レセプトイメージデータに変換する電子レセプト変換方法であって、前記電子レセプト変換システムは、前記電子レセプトデータの各データ項目と、前記紙レセプトイメージデータへの設定箇所とを対応付けた変換用データベースと、前記電子レセプトデータのデータ項目についてチェック事項が設定されたチェック用データベースと、を有し、前記電子レセプトデータを入力するデータ入力ステップと、前記入力した電子レセプトデータを、変換用データベースを用いて前記紙レセプトイメージデータに変換する変換ステップと、前記チェック用データベースを参照し、前記電子レセプトデータのエラーを検出するエラーチェックステップと、前記変換ステップで変換した紙レセプトイメージデータを出力する出力ステップと、を行い、前記出力ステップは、前記エラーチェックステップでエラーを検出した場合、前記紙レセプトイメージデータとともに、エラーメッセージを出力する。
【００１０】
また、本発明は、電子レセプト変換システムが実行する、保険医療機関が審査支払機関に診療報酬を請求するための電子レセプトデータを紙レセプトイメージデータに変換する電子レセプト変換プログラムであって、前記電子レセプト変換システムは、前記電子レセプトデータの各データ項目と、前記紙レセプトイメージデータへの設定箇所とを対応付けた変換用データベースと、前記電子レセプトデータのデータ項目についてチェック事項が設定されたチェック用データベースと、を有し、前記電子レセプト変換システムに、前記電子レセプトデータを入力するデータ入力ステップと、前記入力した電子レセプトデータを、変換用データベースを用いて前記紙レセプトイメージデータに変換する変換ステップと、前記チェック用データベースを参照し、前記電子レセプトデータのエラーを検出するエラーチェックステップと、前記変換ステップで変換した紙レセプトイメージデータを出力する出力ステップと、を実行させ、前記出力ステップは、前記エラーチェックステップでエラーを検出した場合、前記紙レセプトイメージデータとともに、エラーメッセージを出力する。
【発明の効果】
【００１１】
本発明によれば、審査支払機関に提出する電子レセプトの検証を容易にし、診療報酬の請求事務をより効率化する電子レセプト変換システム、電子レセプト変換方法、および電子レセプト変換プログラム提供することができる。
【図面の簡単な説明】
【００１２】
【図１】本発明の実施の形態に係る電子レセプト変換システムの概略構成図である。
【図２】電子レセプト変換処理のフローチャートである。
【図３】電子レセプトデータの一例を示す図である。
【図４】紙レセプトイメージデータの一例を示す図である。
【図５】明細イメージデータの一例を示す図である。
【図６】画面イメージの一例を示す図である。
【図７】明細イメージデータを含む画面の一例を示す図である。
【図８】図７の画面に対応する電子レセプトデータの一例を示す図である。
【図９】カルテイメージ画面の一例を示す図である。
【図１０】診療データベースの一例を示す図である。
【図１１】図９の画面に対応する電子レセプトデータの一例を示す図である。
【図１２】カルテイメージ画面（略称表示）の一例を示す図である。
【発明を実施するための形態】
【００１３】
以下、本発明の実施の形態を、図面を用いて説明する。なお、本実施形態では、歯科用の電子レセプトデータを例として説明する。
【００１４】
図１は、本発明の実施の形態に係る電子レセプト変換システム１の概略構成図である。図示する電子レセプト変換システム１は、データ入力部１１と、変換部１２と、エラーチェック部１３と、出力部１４と、データ記憶部２１と、変換用データベース２２と、チェック用データベース２３とを備える。
【００１５】
データ入力部１１は、電子レセプトデータを入力し、データ記憶部２１に記憶する。なお、電子レセプトデータは、電子媒体（ＦＤ：フレキシフ゛ルテ゛ータ、ＭＯ：光テ゛ィスク、ＣＤ：コンハ゜クトテ゛ィスク等）に格納されている場合、図示しないネットワークを介して受信する場合などが考えられる。
【００１６】
変換部１２は、データ入力部１１が入力し、データ記憶部２１に記憶された電子レセプトデータを読み出し、変換用データベース２２を用いて紙レセプトイメージデータおよび明細イメージデータに変換する。エラーチェック部１３は、データ記憶部２１に記憶された電子レセプトデータを読み出し、チェック用データベース２３を参照して、電子レセプトデータのエラーを検出する。出力部１４は、変換部１２が変換した紙レセプトイメージデータおよび明細イメージデータをディスプレイまたはプリンタなどの出力装置に出力するとともに、紙レセプトイメージデータおよび明細イメージデータを電子レセプトデータと関連付けてデータ記憶部２１に記憶する。
【００１７】
変換用データベース２２は、前記電子レセプトデータの各データ項目と、紙レセプトイメージデータおよび明細イメージデータへの設定箇所とを対応付けた基本変換マスタと、コード変換マスタとを有する。チェック用データベース２３には、電子レセプトデータのデータ項目についてのチェック項目およびエラーメッセージが記憶されている。
【００１８】
以上説明した、電子レセプト変換システム１は、少なくともＣＰＵ（中央演算装置）と、メモリ（主記憶装置）とを備えた汎用的なコンピュータシステムを用いることができる。このコンピュータシステムにおいて、ＣＰＵがメモリ上にロードされた、電子レセプト変換システム用のプログラムを実行することにより、各機能が実現される。また、電子レセプト変換システム１は、ハードディスク等の補助記憶装置と、入力装置と、ディスプレイやプリンタなどの出力装置とを備えるものとする。なお、データ記憶部２１、変換用データベース２２およびチェック用データベース２３には、メモリまたは外部記憶装置が用いられる。
【００１９】
また、電子レセプト変換システム１の各種処理を実行するプログラムは、メモリまたは補助記憶装置に格納されているものである。そして、このプログラムは、ハードディスク、フレキシブルディスク、ＣＤ、ＭＯなどのコンピュータ読み取り可能な記録媒体に記録することも、ネットワークを介して配信することも可能である。
【００２０】
なお、図１は、電子レセプト変換システム１の論理的な機能構成を示しているものであって、物理的な構成は図１に限定されない。例えば、電子レセプト変換システム１は、１つのコンピュータ装置で構築される場合であっても、データ記憶部２１および各データベース２２、２３を一元的に管理しているサーバと、その他の各部を備える各クライアントとがネットワークを介して接続されている場合であってもよい。
【００２１】
次に、本実施形態に係る電子レセプト変換システム１の処理について説明する。
【００２２】
図２は、電子レセプト変換処理を示すフローチャートである。なお、保険医療機関（保険薬局を含む）は、審査支払機関に提出するために、診療報酬の請求データである電子レセプトデータを作成し、必要に応じて作成した電子レセプトデータ（請求データ）を電子レセプト変換システム１に入力し、紙レセプトイメージデータおよび明細イメージデータに変換する。明細イメージデータは、診療内容および保険点数の明細が示されたデータである。
【００２３】
図３は、電子レセプトデータ（請求データ）の一例を示す図である。図４は、図３に示す電子レセプトデータを変換した紙レセプトイメージデータの一例を示す図である。図５は、図３に示す電子レセプトデータを変換した明細イメージデータの一例を示す図である。
【００２４】
まず、電子レセプト変換システム１のデータ入力部１１は、電子レセプトデータ（図３参照）を入力し、データ記憶部２１に記憶する（Ｓ１１）。
【００２５】
そして、変換部１２は、変換用データベース２２を参照し、データ記憶部２１に記憶された電子レセプトデータを紙レセプトイメージデータ（図４参照）および明細書イメージデータ（図５参照）に変換する（Ｓ１２）。
【００２６】
変換用データベース２２の基本変換マスタには、電子レセプトデータの各データ項目と、紙レセプトイメージデータへの設定・印字箇所（例えば座標など）とが、対応付けて記憶されている。すなわち、基本変換マスタには、電子レセプトデータを構成する各レコードのデータフォーマット（データ形式）が設定され、当該データフォーマットに規定された各データ項目を、紙レセプトイメージデータのどこに設定するかが規定されている。なお、電子レセプトデータのデータフォーマットは、社会保険診療報酬支払基金が提供する「光ディスク等による請求に係る記録条件仕様（歯科用）」に定められている。
【００２７】
具体的には、図３に示す電子レセプトデータの場合、例えば、「ＲＥ（レセプト共通レコード）」レコード３０１の「４２０１０」は請求年月を示しているため、変換部１２は、図４に示す紙レセプトイメージデータの請求年月の箇所４０１に「平成２０年１０月」を設定する。なお、「４２０１０」の「４」は、元号をコード化したものであるため、変換部１２は、コード変換マスタを参照して、コード「４」に対応する元号（平成）を取得し、コード「４」を「平成」に変換する。
【００２８】
また、「ＲＥ」レコード３０１の「社保  いち，１」は、氏名と性別を示しているため、変換部１２は、図４に示す紙レセプトイメージデータの氏名の箇所４０２に氏名「社保  いち」と性別「１男」を設定する。なお、「１」は、性別をコード化したものであるため、変換部１２は、コード変換マスタを参照して、コード「１」に対応する性別（男）を取得し、氏名の箇所４０２に設定する。
【００２９】
また、「ＨＯ（保険者レコード）」レコード３０２の「０１１３００１３」は、保険者番号を示しているため、変換部１２は、図４に示す紙レセプトイメージデータの保険者番号の箇所４０３に当該保険者番号を設定する。
【００３０】
以上のように、電子レセプトデータの他のデータ項目についても、紙レセプトイメージデータの対応する箇所に設定し、電子レセプトデータを紙レセプトイメージデータに変換する。
【００３１】
また、変換部１２は、同様に、変換用データベース２２の基本変換マスタおよびコード変換テーブルを参照して、電子レセプトデータを明細イメージデータ（図５参照）に変換する。なお、基本変換マスタには、電子レセプトデータの各データ項目と、明細イメージデータへの設定箇所とが、対応付けて記憶されている。
【００３２】
そして、エラーチェック部１３は、チェック用データベース２３を参照し、電子レセプトデータのエラーチェックを行う（Ｓ１３）。例えば、エラーチェック部１３は、保険者番号の単項目チェックを行う。保険者番号の最後１桁は、チェックデジットであるため、エラーチェック部１３は、チェック用データベース２３に設定された所定のアルゴリズムに従って保険者番号の各数字に対して所定の係数を乗じるなどして算出した値と、最後１桁のチェックデジットとを照合し、一致しない場合は保険者番号がエラーであると判別する。保険者番号がエラーであると判別した場合、エラーチェック部１３は、当該エラーに対応するエラーメッセージをチェック用データベース２３から取得する。
【００３３】
また、エラーチェック部１３は、電子レセプトデータの複数のデータ項目の値の関連性が正当であるか否かの相関チェックも行う。例えば、チェック用データベース２３には、治療コードと年齢の相関チェック（例えば、所定の治療は、所定の年齢以上でなければ受けられないとするルール）、病名コードと治療コードの相関チェック（例えば、所定の病名には、所定の治療コードは受けられないとするルール）、治療コード同士の相関チェック（例えば、第１の治療コードと第２の治療コードは、同時に受けられないとするルール）などの各種のルールが設定されているものとする。エラーチェック部１３は、チェック用データベース２３に記述された全てのチェックを行い、電子レセプトデータのエラーを検出する。
【００３４】
そして、出力部１４は、Ｓ１２で変換した紙レセプトイメージデータおよび明細イメージデータをディスプレイやプリンタなどの出力装置に出力するとともに、電子レセプトデータと関連付けてデータ記憶部２１に記憶する（Ｓ１４）。なお、出力部１４は、Ｓ１３でエラーが検出された場合、紙レセプトイメージデータ、明細イメージデータおよび電子レセプトデータのエラー箇所の色を赤く変化させるなどして、当該箇所にエラーが存在することをユーザに提示する。また、出力部１４は、Ｓ１３でエラーチェック部１３がチェック用データベース２３から取得したエラーメッセージ４０４（図４参照）を、紙レセプトイメージデータまたは明細書イメージデータに付加して表示または出力する。
【００３５】
なお、図２に示す電子レセプト変換処理では、保険医療機関が審査支払機関に提出する電子レセプトデータ（診療報酬の請求データ）について説明したが、審査支払機関が保険医療機関に送付する返戻ファイルの電子レセプトデータを入力し、紙レセプトイメージデータおよび明細書イメージデータに変換することもできる。返戻ファイルは、提出した電子レセプトデータ（診療報酬の請求データ）にエラー（不備）があった場合、保険医療機関にエラーを訂正させるために、審査支払機関から送付されるファイルである。
【００３６】
審査支払機関から保険医療機関に送付される返戻ファイルには、診療報酬の請求データ、返戻理由データ、履歴請求データの電子レセプトデータが含まれている。診療報酬の請求データ（図３参照）は、前述のとおり保険医療機関が作成し、審査支払機関に提出したデータである。返戻理由データには、審査支払機関が診療報酬の請求データを点検したエラーの内容・理由が設定される。具体的な返戻理由データとしては、例えば「Ｌ３０８７  保険者番号に誤りがあります。」などが設定される。履歴請求データは、既に提出した診療報酬の請求データの履歴データであって、履歴請求データであることを判別可能なように、診療報酬の請求データに履歴管理情報が付加されている。
【００３７】
保険医療機関は、審査支払機関から送付された返戻ファイルの電子レセプトデータ（請求データ、返戻理由データ、履歴請求データ）を、必要に応じて電子レセプト変換システム１に入力し、紙レセプトイメージデータ（図４参照）および明細イメージデータ（図５参照）に変換し、返戻理由データとともに表示および出力する。
【００３８】
以上説明した本実施形態の電子レセプト変換システム１では、電子レセプトデータを入力し、紙レセプトイメージデータおよび明細イメージデータに変換する。これにより、本実施形態では、審査支払機関に提出する電子レセプトデータの検証が容易になり、診療報酬の請求事務をより効率化することができる。すなわち、電子レセプトデータの大部分は英数字の羅列であるため、電子レセプトデータ自体を見ても、ユーザはどのような内容のレセプトであるかを理解することは困難であるが、紙レセプトイメージデータおよび明細イメージデータに変換することにより、ユーザが理解しやすい形式で表示されるため、提出用の電子レセプトデータが意図した正しいデータであるか否かをユーザは容易に判断することができる。
【００３９】
また、本実施形態では、電子レセプトデータのエラーチェックを行うことにより、審査支払機関に提出する前に事前チェックを行い、より高い精度の電子レセプトデータを審査支払機関に提出することができる。また、本実施形態では、エラーが検出された場合、エラーメッセージを出力し、また、紙レセプトイメージデータ、明細イメージデータおよび電子レセプトデータのエラー箇所のデータの色を変えるなどして当該箇所にエラーが存在することをユーザに提示する。これにより、本実施形態では、エラーを容易に検知することができるとともに、電子レセプトデータの修正作業を容易に行うことができ、診療報酬の請求事務をより効率化することができる。
【００４０】
また、本実施形態では、審査支払機関から送付された返戻ファイルの電子レセプトデータについても、紙レセプトイメージデータおよび明細イメージデータに変換し、返戻理由データとともに表示および出力する。これにより、不備のある部分を容易に把握して、電子レセプトデータの修正作業を容易に行うことができ、より迅速に修正後の電子レセプトデータを審査支払機関に再提出することができる。
【００４１】
以上、本発明の実施の形態について説明してきたが、本発明の要旨を逸脱しない範囲において、本発明の実施の形態に対して種々の変形や変更を施すことができる。例えば、電子レセプト変換システムは、各患者の診療情報を記録した診療データベースをさらに有し、当該診療データベースを用いて電子レセプトデータに含まれる所定のデータ項目の詳細情報を、出力・表示することとしてもよい。
【００４２】
図６は、電子レセプト変換システムのディスプレイに出力される画面イメージの一例を示すものである。図示する画面には、変換された紙レセプトイメージデータ６１（図４参照）と、入力された電子レセプトデータ６３（図３参照）と、詳細情報６２とが表示されている。図示する詳細情報６２は、電子レセプトデータの「ＳＳ（歯科診療行為レコード）」レコードに含まれる処置の総件数の内訳を、診療データベースを用いて示したものである。詳細情報６２を表示する場合、電子レセプト変換システムの変換部は、電子レセプトデータの保険者番号、請求年月などをキーとして診療データベースを検索し、所望の情報を診療データベースから抽出して詳細情報６２を生成するものとする。
【００４３】
また、電子レセプト変換システムは、図６の他に、以下に説明する画面を生成し、ディスプレイに出力することとしてもよい。
【００４４】
図７は、明細イメージデータを含む画面イメージの一例を示すものである。図７に示す画面には、変換された紙レセプトイメージデータ７１（図４参照）と、明細イメージデータ７２と、検索キーワード入力部７３とを有する。明細イメージデータ７２は、図５に示す明細イメージデータの変形例であって、例えば、審査支払機関から送付された返戻ファイルの電子レセプトデータを用いて生成され、医療機関の歯科医等が不備のある部分を容易に把握して、電子レセプトデータの修正作業を容易に行うためのものである。
【００４５】
図８は、図７に示す画面の変換元となる電子レセプトデータを示したものである。電子レセプト変換システムのデータ入力部１１は、図８の電子レセプトデータを入力し、変換部１２は、変換用データベース２２を用いて、紙レセプトイメージデータ７１および明細イメージデータ７２に変換する。紙レセプトイメージデータ７１への変換については、上記実施形態と同様であるため、ここでは説明を省略する。以下、明細イメージデータ７２への変換について説明する。
【００４６】
図７に示す明細イメージデータ７２は、図８に示す電子レセプトデータの「ＳＳ（歯科診療行為レコード）」レコードおよび「ＴＯ」レコードを、人が認識できる形式で表したものであって、負担区分と、診療識別と、番号と、内容とを有する。変換部１２は、電子レセプトデータのＳＳレコード毎に、明細イメージデータ７２の各行に変換する。例えば、図８の符号８２１のレコードを図７の符号７２１の行に、以下同様に、符号８２２のレコードを符号７２２の行に、符号８２３のレコードを符号７２３の行に、符号８２４のレコードを符号７２４の行に、符号８２５のレコードを符号７２５の行に変換する。
【００４７】
そして、各ＳＳレコードは、診療識別ａと、負担区分ｂと、診療内容ｃと、点数ｄとを有する。変換部１２は、例えば符号８２１のＳＳレコードについては、変換用データベース２２を参照し、図８の「１」ｂを図７の符号７２１の行の「負担区分」の欄に、同様に「１１」ａを「診療識別」の欄に設定する。なお、診療内容の「３０１０００１１０」および「ＣＡ０１２」ｃについては、変換用データベース２２を参照し、上記内容ｃに相当する「初診＜１８２×１＞」および「電（初診）＜３×１＞」に変換して、図７の内容の欄に設定する。点数「１８５，１」ｄは、「１８５×１」に変換して、図７の点数の欄に設定する。変換部１２は、他のＳＳレコードについても、同様に明細イメージデータ７２の各行に変換する。
【００４８】
なお、図７に示す明細イメージデータ７２の「番号」は、同一の診療識別の発生順番を示すものである。例えば、図８では診療識別「３１」のＳＳレコード８２３、８２４が、２つある。そのため、ＳＳレコード８２３に対応する図７の行７２３の「番号」には「１」を、ＳＳレコード８２４に対応する図７の行７２４の「番号」には「２」を設定する。
【００４９】
また、変換部１２は、図７に示す画面の患者情報７４については、図８の電子電子レセプトデータのＩＲレコード、ＲＥレコード、ＨＯレコードに基づいて生成し、傷病名部位７５については、図８のＨＳレコードに基づいて生成する。
【００５０】
さらに、図７に示す画面には、検索ワード入力部７３を有する。ユーザは、所望の検索キーワード（例えば、審査支払機関から送付された返戻ファイルの返戻理由等に記載されたキーワードなど）を検索ワード入力部７３に入力し、検索実行指示を入力する。これにより、電子レセプト変換システムの検索部（不図示）は、検索ワード入力部７３に入力されたキーワードと一致または対応する項目を、明細イメージデータ７２の内容に表示されている項目（ワード、単語、英数字など）の中から検索し、一致する箇所の項目の色を変える、または、ブリンク（点滅）させる。
【００５１】
これにより、ユーザは、検索ワードが何処に表示されているかを一目で認識することができる。図７に示す例では、検索ワード７３に「ＥＭＲ」を入力すると、明細イメージデータ７２の内容の「ＥＭＲ」７９の色が変更され、またはブリンクして表示される。また、図７に示す画面には、審査支払機関から送付された返戻ファイルの返戻理由等に記載されたエラー情報、またはエラーチェック部１３が検出したエラーメッセージ４０４（図４参照）などを、併せて表示することとしてもよい。
【００５２】
なお、電子レセプト変換システムは、図７に示す画面の次ページに、変換元の電子レセプトデータ（図８）を表示し、変換用データベース２２を用いて、検索ワード入力部７３に入力されたワードに対応する箇所を検索し、検索した箇所の色を変える、またはブリンク（点滅）させることとしてもよい。
【００５３】
また、電子レセプト変換システムは、図９に示す画面を生成し、ディスプレイに出力することとしてもよい。図９は、診療データベース（診療記録）と、当該診療データベースのデータを１日単位で変換した電子レセプトデータとを用いて生成されるカルテイメージ画面の一例を示したものである。図９に示す画面は、患者情報９１と、カルテイメージデータ９２と、検索ワード入力部９３とを有する。
【００５４】
一般に、既存の診療データベースで使用している診療内容の項目名称と、電子レセプトデータで規定されている診療内容の項目名称とは、異なる場合が多い。そのため、既存の診療データベースと、電子レセプトデータおよび紙レセプトデータとの対応関係を把握することが容易ではなく、ユーザにとって不便である。図９に示すカルテイメージ画面は、電子レセプトデータおよび紙レセプトデータとの、対応付けをより容易にするための画面である。
【００５５】
図１０は、図９に示す画面に対応する診療データベースを示したものであって、日付１０１と、部位１０２と、診療内容１０３と、点数１０４とを有する。図１１は、図１０に示す診療データベースを日単位で変換した電子レセプトデータを示すものである。具体的には、図１１（ａ）には図１０の１月１３日分の診療記録ａの電子レセプトデータが、図１１（ｂ）には図１０の１月１５日分の診療記録ｂの電子レセプトデータが、そして図１１（ｃ）には図１０の１月２０日分の診療記録ｃの電子レセプトデータが記載されている。
【００５６】
なお、電子レセプトデータのＩＲレコード、ＲＥレコード、ＨＯレコードについては、図１０の診療データベースの患者番号等に対応する患者情報データベースを参照して生成されるものとする。また、電子レセプトデータに変換する方法については、例えば、「光ディスク等による請求に係る記録条件仕様（歯科用）」に記載されているため、ここでは説明を省略する。
【００５７】
以下、日単位の電子レセプトデータ（図１１）と、診療データベース（図１０）とを用いて図９に示すカルテイメージ画面を生成する処理を説明する。なお変換用データベース２２には、電子レセプトデータの各データ項目と、カルテイメージデータ画面への設定箇所との対応付けが記憶されているものとする。
【００５８】
図９の患者情報９１については、変換部１２は、変換用データベース２２を参照し、図１１の電子レセプトデータのＩＲレコード、ＲＥレコード、ＨＯレコードに基づいて生成する。
【００５９】
図９のカルテイメージデータ９２は、日付９０１と、部位９０２と、内容９０３と、点数９０４とを有する。変換部１２は、日付９０１および部位９０２については、図１０の診療データベースから取得した情報１０１、１０２を設定し、内容９０３および点数９０４については、図１１の電子レセプトデータから取得した情報を用いて設定する。具体的には、図９の１月１３日分のカルテ情報９４の内容９０３の場合、変換部１２は、図１１（ａ）のＳＳレコード１１１の診療内容ｃ（「３０１０００１１０」、「ＣＡ０１２」）を、変換用データベース２２を参照して、「初診＜１８２×１＞」および「電（初診）＜３×１＞」に変換して、図９のカルテ情報９４の内容９０３の欄に設定する。点数「１８５，１」ｄは、「１８５×１」に変換して、図９の点数９０４の欄に設定する。
【００６０】
また、図９の１月１５日分のカルテ情報９５の内容９０３および点数９０４については、変換部１２は、図１１（ｂ）のＳＳレコード１１２の診療内容「３０１００１６１０」を、変換用データベース２２を参照して、「再診＜４０×１＞」に変換して、図９のカルテ情報９５の内容９０３の欄に設定する。また、ＳＳレコード１１２の点数「４０，１」は、「４０×１」に変換して、図９のカルテ情報９５の点数９０４の欄に設定する。また、変換部１２は、図１１（ｂ）のＳＳ、ＴＯレコード１１３についても同様に、各診療内容は変換用データベース２２を参照してそれぞれ変換して図９のカルテ情報９６の内容９０３の欄に設定し、点数も変換して図９のカルテ情報９６の点数９０４の欄に設定する。
【００６１】
また、図９の１月２０日分のカルテ情報９７、９８、９９の内容および点数についても、同様に、図１１（ｃ）のＳＳレコード１１４、１１５、１１６の各診療内容および点数を変換して設定する。
【００６２】
図９の検索ワード入力部９３は、図７で説明した検索ワード入力部７３と同様であるため、ここでは説明を省略する。また、図９に示す画面には、審査支払機関から送付された返戻ファイルの返戻理由等に記載されたエラー情報、またはエラーチェック部１３が検出したエラーメッセージ４０４（図４参照）などを、併せて表示することとしてもよい。
【００６３】
図１２は、図９に画面のカルテイメージデータ９２の内容９０３を、略称で表示したカルテイメージ画面である。変換用データベース２２には、診療内容の略称が記憶されており、電子レセプト変換システムは、図９に示す画面の替わりに、図１２に示すカルテイメージ画面を生成することとしてもよい。また、電子レセプト変換システムは、図９に示す画面と、図１２に示す画面の両方を生成し、次頁または前頁などへの表示操作を行うことにより、ユーザは両画面を行き来することができることとしてもよい。
【符号の説明】
【００６４】
１  電子レセプト変換システム
１１  データ入力部
１２  変換部
１３  エラーチェック部
１４  出力部
２１  データ記憶部
２２  変換用データベース
２３  チェック用データベース
【図１】
2010140457.tif 000003
【図２】
2010140457.tif 000004
【図３】
2010140457.tif 000005
【図４】
2010140457.tif 000006
【図５】
2010140457.tif 000007
【図６】
2010140457.tif 000008
【図７】
2010140457.tif 000009
【図８】
2010140457.tif 000010
【図９】
2010140457.tif 000011
【図１０】
2010140457.tif 000012
【図１１】
2010140457.tif 000013
【図１２】
2010140457.tif 000014